(57)【要約】【課題】のどに隙間が生じないアルバム及びその製造方法を提供する。【解決手段】写真等の画像が印刷された印画紙２１が芯紙２２に貼着され、印画紙２１が貼着された芯紙２２を複数重ねて綴じてなるアルバム２０の製造方法において、画像が印刷された印画紙２１を左右に隙間なく二枚並べてそのおもて面を可撓性のフィルム２６の裏面に貼着した後、フィルム２６に貼着された二枚の印画紙２１の境界線を、フィルム２６のおもて面を内側となるように折り曲げて印画紙付折曲フィルム２７を複数製作した後、複数の印画紙付折曲フィルム２７を、それらの間に芯紙２２を挟んで重ねてのど側を綴じて中身とし、中身に表紙２４を付けてなる。【選択図】図３
2012056292.tif 000002
【特許請求の範囲】
【請求項１】
写真等の画像が印刷された印画紙が芯紙に貼着され、前記印画紙が貼着された芯紙を複数重ねて綴じてなるアルバムの製造方法において、
前記画像が印刷された印画紙を左右に隙間なく二枚並べてそのおもて面を可撓性のフィルムの裏面に貼着した後、前記フィルムに貼着された二枚の印画紙の境界線を、前記フィルムのおもて面を内側となるように折り曲げて印画紙付折曲フィルムを複数製作しつつ、
前記複数の印画紙付折曲フィルムを、それらの間に前記芯紙を挟んで重ねてのど側を綴じたものに表紙を付けてなることを特徴とするアルバムの製造方法。
【請求項２】
写真等の画像が印刷された印画紙が芯紙に貼着され、前記印画紙が貼着された芯紙を複数重ねて綴じてなるアルバムの製造方法において、
前記画像が印刷された印画紙を左右に隙間なく二枚並べてそのおもて面を可撓性のフィルムの裏面に貼着した後、前記フィルムに貼着された二枚の印画紙の境界線を、前記フィルムのおもて面を内側となるように折り曲げて印画紙付折曲フィルムを複数製作した後、
前記複数の印画紙付折曲フィルムを、それらの間に前記芯紙を挟んで重ねてのど側を綴じて中身とし、前記中身に表紙を付けてなることを特徴とするアルバムの製造方法。
【請求項３】
前記フィルムの大きさは、前記印画紙を左右に二枚並べた大きさより大きく、
前記のど側を綴じる直前、又はのど側を綴じる直後に、前記芯紙の天側端部、地側端部、及び小口側端部のうち少なくとも一つを切り落とすようにしたことを特徴とする請求項１又は２に記載のアルバムの製造方法。
【請求項４】
写真等の画像が印刷される印画紙が芯紙に貼着され、前記印画紙が貼着された芯紙を複数重ねて綴じてなるアルバムにおいて、
前記画像が印刷された印画紙が左右に隙間なく二枚並べられ、そのおもて面が可撓性のフィルムの裏面に貼着され、しかもフィルムに貼着された二枚の印画紙の境界線で前記フィルムのおもて面が内側となるように折り曲げられた印画紙付折曲フィルムを複数、それらの間に前記芯紙を挟んで重ねてのど側を綴じたものに表紙を取付けてなることを特徴とするアルバム。
【請求項５】
写真等の画像が印刷される印画紙を複数重ねて綴じてなるアルバムにおいて、
前記画像が印刷された印画紙が左右に隙間なく二枚並べられ、そのおもて面が可撓性のフィルムの裏面に貼着され、しかもフィルムに貼着された二枚の印画紙の境界線で前記フィルムのおもて面が内側となるように折り曲げられた印画紙付折曲フィルムを複数重ねてのど側を綴じたものに表紙を取付けてなることを特徴とするアルバム。
【発明の詳細な説明】
【技術分野】
【０００１】
本発明は、写真等の画像が印刷された印画紙が芯紙に貼着され、印画紙が貼着された芯紙を複数重ねて綴じてなるアルバム及びその製造方法に関するものである。
【背景技術】
【０００２】
近年のデジタルカメラの普及により、写真が一般ユーザーにとって一段と身近なものとなり、それに伴って一般ユーザーがアルバムとして製本する機会も増えている。
このようなアルバムには、印刷された写真を透明なポケットに挿入して写真を配置する簡易なタイプや、卒業アルバムや結婚式のアルバムのように写真等の画像が印刷された印画紙を芯紙全面に貼着するタイプがある。
【０００３】
この印画紙を芯紙全面に貼着するタイプのアルバムとして、図７乃至図９に示すような製造方法によって製造されるアルバム１０が開示されている（例えば、特許文献１参照）。
このようなアルバム１０の製造方法は、図７に示すように、まず写真が印刷された印画紙１１を左右に二枚並べて、その裏面を芯紙１２の左右に一枚ずつ貼着する。
その後、図８に示すように芯紙１２の中央を印画紙１１のおもて面を内側になるように折り曲げて、印画紙付折曲芯紙１３を複数製作する。そして、複数の印画紙付折曲芯紙１３を重ねて印画紙付折曲芯紙１３の芯紙１２の裏面同士を貼り合わせて、図９に示すように、のど側を綴じたものに表紙１４をつけてなる。
【先行技術文献】
【特許文献】
【０００４】
【特許文献１】特開２００５−２７９９８９号公報
【０００５】
このようなアルバム１０では、印画紙１１が内側になるように芯紙１２を折り曲げるので、図７の二点鎖線で示すように、左右の印画紙１１を隙間なく芯紙１２に貼着すると、芯紙１２を折り曲げるときに二点鎖線の部分同士が干渉してしまう。したがって、図７の実線で示すように、左右の印画紙１１は互いに約１ｍｍ隙間を開けた状態で芯紙１２に貼着されている。
【発明の概要】
【発明が解決しようとする課題】
【０００６】
しかしながら、このように隙間を開けて二枚の印画紙１１を貼着する場合、画像を見開きのページをまたぐように配置しようとすると、図９に示すように、こののどの隙間１５によって画像が分断されてしまう。よって、画像が見開きのページをまたがないように、それぞれのページごとに画像を配置しなければならないので、画像のレイアウトが制約されてしまうという問題がある。
また、例えばアルバム１０を見る人にシャープな印象を与えるために画像の背景を黒くする手法があるが、その場合、のどの隙間１５だけが白くなってしまうので、見栄えが悪いという問題もある。
【０００７】
そこで、本発明の目的とするところは、のどに隙間が生じないアルバム及びその製造方法を提供することにある。
【課題を解決するための手段】
【０００８】
上記の目的を達成するために、本発明の請求項１に記載のアルバム（２０）の製造方法は、写真等の画像が印刷された印画紙（２１）が芯紙（２２）に貼着され、前記印画紙（２１）が貼着された芯紙（２２）を複数重ねて綴じてなるアルバム（２０）の製造方法において、前記画像が印刷された印画紙（２１）を左右に隙間なく二枚並べてそのおもて面を可撓性のフィルム（２６）の裏面に貼着した後、前記フィルム（２６）に貼着された二枚の印画紙（２１）の境界線を、前記フィルム（２６）のおもて面を内側となるように折り曲げて印画紙付折曲フィルム（２７）を複数製作しつつ、前記複数の印画紙付折曲フィルム（２７）を、それらの間に前記芯紙（２２）を挟んで重ねてのど側を綴じたものに表紙（２４）を付けてなることを特徴とする。
【０００９】
また、請求項２に記載のアルバム（２０）の製造方法は、写真等の画像が印刷された印画紙（２１）が芯紙（２２）に貼着され、前記印画紙（２１）が貼着された芯紙（２２）を複数重ねて綴じてなるアルバム（２０）の製造方法において、前記画像が印刷された印画紙（２１）を左右に隙間なく二枚並べてそのおもて面を可撓性のフィルム（２６）の裏面に貼着した後、前記フィルム（２６）に貼着された二枚の印画紙（２１）の境界線を、前記フィルム（２６）のおもて面を内側となるように折り曲げて印画紙付折曲フィルム（２７）を複数製作した後、前記複数の印画紙付折曲フィルム（２７）を、それらの間に前記芯紙（２２）を挟んで重ねてのど側を綴じて中身とし、前記中身に表紙（２４）を付けてなることを特徴とする。
【００１０】
また、請求項３に記載のアルバム（２０）の製造方法は、前記フィルム（２６）の大きさは、前記印画紙（２１）を左右に二枚並べた大きさより大きく、前記のど側を綴じる直前、又はのど側を綴じる直後に、前記芯紙（２２）の天側端部、地側端部、及び小口側端部のうち少なくとも一つを切り落とすようにしたことを特徴とする。
【００１１】
また、請求項４に記載のアルバム（２０）は、写真等の画像が印刷される印画紙（２１）が芯紙（２２）に貼着され、前記印画紙（２１）が貼着された芯紙（２２）を複数重ねて綴じてなるアルバム（２０）において、前記画像が印刷された印画紙（２１）が左右に隙間なく二枚並べられ、そのおもて面が可撓性のフィルム（２６）の裏面に貼着され、しかもフィルム（２６）に貼着された二枚の印画紙（２１）の境界線で前記フィルム（２６）のおもて面が内側となるように折り曲げられた印画紙付折曲フィルム（２７）を複数、それらの間に前記芯紙（２２）を挟んで重ねてのど側を綴じたものに表紙（２４）を取付けてなることを特徴とする。
【００１２】
また、請求項５に記載のアルバム（２０）は、写真等の画像が印刷される印画紙（２１）を複数重ねて綴じてなるアルバム（２０）において、前記画像が印刷された印画紙（２１）が左右に隙間なく二枚並べられ、そのおもて面が可撓性のフィルム（２６）の裏面に貼着され、しかもフィルム（２６）に貼着された二枚の印画紙（２１）の境界線で前記フィルム（２６）のおもて面が内側となるように折り曲げられた印画紙付折曲フィルム（２７）を複数重ねてのど側を綴じたものに表紙（２４）を取付けてなることを特徴とする。
【００１３】
なお、ここでいう印画紙とは、銀塩写真用又はデジタル印刷用を問わず画像が形成された紙体をいう。
【００１４】
ここで、上記括弧内の記号は、図面および後述する発明を実施するための形態に掲載された対応要素または対応事項を示す。
【発明の効果】
【００１５】
請求項１又は２に記載のアルバムの製造方法によれば、画像が印刷された印画紙を左右に隙間なく二枚並べてそのおもて面を可撓性のフィルムの裏面に貼着した後、フィルムに貼着された二枚の印画紙の境界線を、薄いフィルムのおもて面を内側となるように折り曲げるので、印画紙同士が干渉せず、アルバムとなったときに左右の印画紙同士に間に、つまりのどに隙間が生じない。すなわち、印画紙が外側となるようにフィルムを折り曲げるので、印画紙が左右に二枚並んだときからフィルムを折り曲げ終わるまで、印画紙同士が干渉するときがなく、印画紙同士を隙間なく並べることができ、のどに隙間が生じない。
このように、のどに隙間が生じないことで、画像を見開きのページをまたぐようにも配置できるので、画像のレイアウトの自由度が広がる。また、のどが他の背景と違う色にならないので、見栄えが悪くない。
【００１６】
しかも、この一つのフィルムに貼着された印画紙がアルバムの見開きのページとなるので、見開き単位で画像の位置の微調整が可能である。つまり、のどに隙間を開けないようにしつつ、二枚の印画紙同士の天地方向のずれを最小限にすることができる。仮に、二枚の印画紙同士が天地方向にずれてしまったとしても、一つの印画紙付折曲フィルムを作り直すだけでよく、作り直しにかかる時間が短くて済むとともに、アルバム全体を廃棄しなくて済む。
【００１７】
これらの効果は、請求項１に記載の発明のように、フィルムのおもて面を内側となるように折り曲げて印画紙付折曲フィルムを複数製作しつつ、その複数の印画紙付折曲フィルムを、それらの間に芯紙を挟んで重ねてのど側を綴じたものに表紙を付けた場合でも、請求項２に記載の発明のように、フィルムのおもて面を内側となるように折り曲げて印画紙付折曲フィルムを複数製作した後、その複数の印画紙付折曲フィルムを、それらの間に芯紙を挟んで重ねてのど側を綴じたものに表紙を付けた場合でも、同様に得ることができる。
【００１８】
また、請求項３に記載のアルバムの製造方法によれば、請求項１又は２に記載の発明の作用効果に加え、フィルムの大きさは、印画紙を左右に二枚並べた大きさより大きく、のど側を綴じる直前、又はのど側を綴じる直後に、芯紙の天側端部、地側端部、及び小口側端部のうち少なくとも一つを切り落とすようにしたので、画像が印刷された印画紙を左右に隙間なく二枚並べてそのおもて面を可撓性のフィルムの裏面に貼着する際に、印画紙の縁がフィルムの縁に沿うように精度よく貼着する必要はなく、その分この工程にかかる時間を短縮することができる。
【００１９】
また、請求項４に記載のアルバムによれば、画像が印刷された印画紙が左右に隙間なく二枚並べられ、そのおもて面が可撓性のフィルムの裏面に貼着され、しかもフィルムに貼着された二枚の印画紙の境界線で前記フィルムのおもて面が内側となるように折り曲げられたので、印画紙同士が干渉せず、左右の印画紙同士に間に、つまりのどに隙間が生じない。
このように、のどに隙間が生じないことで、画像を見開きのページをまたぐようにも配置できるので、画像のレイアウトの自由度が広がる。また、のどが他の背景と違う色にならないので、見栄えが悪くない。
また、この一つのフィルムに貼着された印画紙がアルバムの見開きのページとなるので、のどに隙間を開けないようにしつつ、見開きの二枚の印画紙同士の天地方向のずれを最小限にすることができる。
【００２０】
また、請求項５に記載のアルバムによれば、画像が印刷された印画紙が左右に隙間なく二枚並べられ、そのおもて面が可撓性のフィルムの裏面に貼着され、しかもフィルムに貼着された二枚の印画紙の境界線で前記フィルムのおもて面が内側となるように折り曲げられたので、印画紙同士が干渉せず左右の印画紙同士に間に、つまりのどに隙間が生じない。
このように、のどに隙間が生じないことで、画像を見開きのページをまたぐようにも配置できるので、画像のレイアウトの自由度が広がる。また、のどが他の背景と違う色にならないので、見栄えが悪くない。
また、この一つのフィルムに貼着された印画紙がアルバムの見開きのページとなるので、のどに隙間を開けないようにしつつ、見開きの二枚の印画紙同士の天地方向のずれを最小限にすることができる。
しかも、その印画紙付折曲フィルムを複数重ねてのど側を綴じたものに表紙を取付けてなるので、請求項４に記載の発明と比べて、芯紙を使用しない分だけ材料費及び製造工数を低減することができる。
【００２１】
なお、本発明のアルバム及びその製造方法のように、画像が印刷された印画紙を左右に隙間なく二枚並べてそのおもて面を可撓性のフィルムの裏面に貼着した後、フィルムに貼着された二枚の印画紙の境界線を、フィルムのおもて面を内側となるように折り曲げる点は、上述した特許文献１には全く記載されていない。
【図面の簡単な説明】
【００２２】
【図１】本発明の実施形態に係るアルバムの製造方法における、印画紙をフィルムに貼着する工程を示す拡大正面図である。
【図２】本発明の実施形態に係るアルバムの製造方法における、フィルムに貼着された二枚の印画紙の境界線を折り曲げる工程を示す正面図である。
【図３】本発明の実施形態に係るアルバムの製造方法における、印画紙付折曲フィルムの間に芯紙を挟んで重ねる工程を示す正面図である。
【図４】本発明の実施形態に係るアルバムの製造方法における、のど側を綴じたものに表紙を付ける工程を示す拡大正面図である。
【図５】本発明の実施形態に係るアルバムを示す斜視図である。
【図６】本発明の他の実施形態に係るアルバムの製造方法における、印画紙付フィルムを芯紙に貼着する工程を示す斜視図である。
【図７】従来例に係るアルバムの製造方法における、印画紙を芯紙に貼着する工程を示す拡大正面図である。
【図８】従来例に係るアルバムの製造方法における、印画紙が貼着された芯紙を折り曲げ、その芯紙を複数重ねる工程を示す正面図である。
【図９】従来例に係るアルバムを示す斜視図である。
【発明を実施するための形態】
【００２３】
図１乃至図５を参照して、本発明の実施形態に係るアルバム２０及びその製造方法を説明する。
このアルバム２０は、写真等の画像が印刷された印画紙２１が芯紙２２に貼着され、印画紙２１が貼着された芯紙２２を複数重ねて綴じてなるものである。具体的には、結婚記念アルバム２０のように、オンデマンド方式による少部数の個人的なアルバム２０である。
なお、図１乃至図４は断面図ではないが、印画紙２１、フィルム２６、及び芯紙２２を区別し易くするためにハッチングを施している。
【００２４】
本発明の実施形態に係るアルバム２０の製造方法では、まず、印刷と印刷状態の長期保存に適した２６０ｍｍ×２６０ｍｍの印画紙２１を複数用意する。そして、事前にパソコン上でレイアウトされた写真や文字を印画紙２１のおもて面に印刷する。一枚の印画紙２１には一つ又は複数の写真が配置される場合や、一つの写真が見開きのページをまたぐように配置される場合もある。
【００２５】
次に、図１に示すように、画像が印刷された印画紙２１を左右に隙間なく二枚並べて、そのおもて面を可撓性のフィルム２６の裏面に貼着する。このフィルム２６は透明なＰＰ（ポリプロピレン）樹脂からなるとともに、フィルム２６の裏面には粘着剤が施されている。ここでは印画紙２１に対していわゆるコールドタイプのラミネート加工を行う。フィルム２６の大きさは、印画紙２１を左右に隙間なく二枚並べた大きさと略等しい。また、フィルム２６の厚さは印画紙２１の厚さに比べて薄く、フィルム２６を折り曲げると容易に折り目が付く。
【００２６】
次に、図２に示すように、フィルム２６に貼着された二枚の印画紙２１の境界線を、フィルム２６のおもて面を内側となるように折り曲げて印画紙付折曲フィルム２７を製作する。この印画紙付折曲フィルム２７を、例えばアルバム２０一冊分、複数製作する。
【００２７】
印画紙付折曲フィルム２７を複数製作した後、次に、図３に示すように、表裏両面に粘着剤が施された芯紙２２を複数用意する。そして、その複数の印画紙付折曲フィルム２７を、それらの間に芯紙２２を挟んで重ね、印画紙付折曲フィルム２７と芯紙２２が交互になるように貼着する。
この芯紙２２は矩形状の紙製で、その大きさは印画紙２１一枚の大きさと略等しい。また、芯紙２２の厚さは印画紙２１の厚さよりも厚い。
【００２８】
最後に、図４に示すように、複数の印画紙付折曲フィルム２７と芯紙２２を重ねたものののど側を綴じて中身とし、中身に表紙２４を付けてなる。
【００２９】
以上のように構成及び製造されたアルバム２０によれば、画像が印刷された印画紙２１を左右に隙間なく二枚並べてそのおもて面を可撓性のフィルム２６の裏面に貼着した後、フィルム２６に貼着された二枚の印画紙２１の境界線を、薄いフィルム２６のおもて面を内側となるように折り曲げるので、印画紙２１同士が干渉せず、図５に示すようにアルバム２０となったときに左右の印画紙２１同士に間に、つまりのどに隙間が生じない。すなわち、印画紙２１が外側となるようにフィルム２６を折り曲げるので、印画紙２１が左右に二枚並んだときからフィルム２６を折り曲げ終わるまで、印画紙２１同士が干渉するときがなく、印画紙２１同士を隙間なく並べることができ、のどに隙間が生じない。
このように、のどに隙間が生じないことで、画像を見開きのページをまたぐようにも配置できるので、画像のレイアウトの自由度が広がる。また、のどが他の背景と違う色にならないので、見栄えが悪くない。
【００３０】
しかも、この一つのフィルム２６に貼着された印画紙２１がアルバム２０の見開きのページとなるので、見開き単位で画像の位置の微調整が可能である。つまり、のどに隙間を開けないようにしつつ、二枚の印画紙２１同士の天地方向のずれを最小限にすることができる。仮に、二枚の印画紙２１同士が天地方向にずれてしまったとしても、一つの印画紙付折曲フィルム２７を作り直すだけでよく、作り直しにかかる時間が短くて済むとともに、アルバム２０全体を廃棄しなくて済む。
【００３１】
なお、本実施形態において、印画紙２１を左右に二枚並べて、その印画紙２１をフィルム２６に貼着した後、その印画紙付フィルム２８を折り曲げたが、これに限られるものではなく、図６に示すように折り曲げる前の印画紙付フィルム２８の二枚の印画紙２１を、左右に二枚並べられた芯紙２２のそれぞれに貼着してもよい。この場合、印画紙付フィルム２８を芯紙２２に貼着した後に、芯紙２２、印画紙２１、フィルム２６の三層となったものをフィルム２６が内側になるように折り曲げる。
【００３２】
また、印画紙付折曲フィルム２７を複数製作した後に、印画紙付折曲フィルム２７の間に芯紙２２を挟んで重ねたが、これに限られるものではなく、印画紙付折曲フィルム２７を複数製作しつつ、印画紙付折曲フィルム２７の間に芯紙２２を挟んで重ねてもよい。
つまり、まず印画紙付折曲フィルム２７を一つ製作した後に、印画紙付折曲フィルム２７の印画紙２１の裏面に芯紙２２のおもて面を貼着する。その後、別の印画紙付折曲フィルム２７を一つ製作する。次に、最初に製作された印画紙付折曲フィルム２７に貼着された芯紙２２の裏面に、二番目に製作された印画紙付折曲フィルム２７の印画紙２１の裏面を重ねて貼着する。そして、これを繰り返し、所定の枚数になるまで印画紙付折曲フィルム２７と芯紙２２を重ねてもよい。
【００３３】
また、印画紙付折曲フィルム２７に一枚だけ芯紙２２を貼着したものを複数製作し、その後、それらを重ねて貼り合わせてもよい。
【００３４】
また、フィルム２６の大きさは、印画紙２１を左右に二枚並べた大きさと略同じ大きさとしたが、それよりも大きくてよい。この場合には、フィルム２６の縁が印画紙２１の外側にはみ出るので、のど側を綴じる直前、又はのど側を綴じる直後に、芯紙２２の天側端部、地側端部、及び小口側端部のうち少なくとも一つ、つまりフィルム２６がはみ出た部分を切り落とすようにすればよい。
こうすることで、画像が印刷された印画紙２１を左右に隙間なく二枚並べてそのおもて面を可撓性のフィルム２６の裏面に貼着する際に、印画紙２１の縁がフィルム２６の縁に沿うように精度よく貼着する必要はなく、その分この工程にかかる時間を短縮することができる。
【００３５】
さらに、二つの印画紙付折曲フィルム２７の間に挟まれた芯紙２２は、一枚に限られるものではなく、複数でもよい。
【００３６】
また、印画紙２１二層とフィルム２６二層の計四層が所定の強度を有するならば、二つの印画紙付折曲フィルム２７の間に芯紙２２を挟まなくてもよい。つまり、印画紙付折曲フィルム２７が何も介さずに複数重ねられ、一つの印画紙付折曲フィルム２７の印画紙２１の裏面と、別の印画紙付折曲フィルム２７の印画紙２１の裏面が直接貼着されていてもよい。
このように、芯紙２２を使用しない場合には、芯紙２２を使用する場合に比べて芯紙２２の分だけ材料費及び製造工数を低減することができる。
【００３７】
また、フィルム２６はＰＰ樹脂からなるとしたが、ＰＥＴ樹脂やＰＥ樹脂からなるものでもよい。また、ＰＰ樹脂、ＰＥ樹脂、ＰＥＴ樹脂等のうち二種類以上を用いた多層構造のフィルム２６であってもよい。
また、ラミネート加工はコールドタイプとしたが、これに限られるものではなく、ホットメルトであってもよい。
【００３８】
さらに、オンデマンド方式で本実施形態に係るアルバム２０の製造方法が用いられるとしたが、オフセット印刷で行われるように印刷部数が多くてもよい。
また、印画紙２１の大きさを２６０ｍｍ×２６０ｍｍとしたが、これに限られるものではない。
【符号の説明】
【００３９】
１０      アルバム
１１      印画紙
１２      芯紙
１３      印画紙付折曲芯紙
１４      表紙
１５      のどの隙間
２０      アルバム
２１      印画紙
２２      芯紙
２４      表紙
２６      フィルム
２７      印画紙付折曲フィルム
２８      印画紙付フィルム
【図１】
2012056292.tif 000003
【図２】
2012056292.tif 000004
【図３】
2012056292.tif 000005
【図４】
2012056292.tif 000006
【図５】
2012056292.tif 000007
【図６】
2012056292.tif 000008
【図７】
2012056292.tif 000009
【図８】
2012056292.tif 000010
【図９】
2012056292.tif 000011